(57)【特許請求の範囲】
【請求項１】
半導体記録メディアが着脱可能に収納されるメディア収納部を有するメディアホルダと、
前記半導体記録メディアが出し入れされるメディア出入口を有し且つ当該メディア出入口に前記メディア収納部を対向させた状態で前記メディアホルダが収納される外装ケースと、
前記メディア出入口を開閉可能とされた開閉蓋と、
前記メディア収納部に収納された前記半導体記録メディアに対して接触可能とされたヒートシンクと、
前記開閉蓋の開閉動作に連動して前記ヒートシンクを移動させるヒートシンク移動部と、を設け、
前記ヒートシンク移動部の動作により、前記開閉蓋の開放時には前記ヒートシンクを前記メディア収納部から離れる方向に移動し、前記開閉蓋の閉鎖時には前記ヒートシンクを前記メディア収納部に近づける方向に移動して当該メディア収納部に収納されている半導体記録メディアに圧接させ、
前記開閉蓋は、前記メディア出入口に対向される前面部と、前記前面部に連続して前記メディア出入口の側面に対向される側面部と、を有し、
前記側面部に、外部の空気を取り込むための吸気口を設け、
前記吸気口に、雨滴の浸入を防ぐために前記外装ケースの水平姿勢及び垂直姿勢の２姿勢に対応して外側の取付位置を低く設定し且つ内側の取付位置を高くして外側傾斜角を設定した側壁及び／又は防滴片を設けた
半導体記録メディア記録及び／又は再生装置。
【請求項２】
前記ヒートシンクは、前記メディア収納部を挟んで両側に対向設置された第１のヒートシンクと第２のヒートシンクを有し、
前記ヒートシンク移動部は、前記開閉蓋の開閉動作に連動させて前記第１のヒートシンク及び前記第２のヒートシンクを、前記メディア出入口と反対側を回動中心として回動させ、第１のヒートシンク及び第２のヒートシンクの自由端側を回動中心側よりも大きく移動させる
請求項１記載の半導体記録メディア記録及び／又は再生装置。
【請求項３】
前記ヒートシンク移動部は、前記開閉蓋の開閉動作に連動して回動されるカムプレートを有し、
前記カムプレートに、前記第１のヒートシンクに設けた第１のカムピンが摺動可能に係合される第１のカム溝と、前記第２のヒートシンクに設けた第２のカムピンが摺動可能に係合される第２のカム溝と、を設けた
請求項２記載の半導体記録メディア記録及び／又は再生装置。
【請求項４】
前記防滴片及び／又は吸気口の側壁の外側傾斜角をそれぞれ１５度〜３５度の範囲内に設定した
請求項１記載の半導体記録メディア記録及び／又は再生装置。
【請求項５】
前記外装ケースの前面部に設けた前記メディア出入口の周囲に通気口を設け、
前記前面部と前記防滴片との間に隙間をあけると共に一部が重なり合うように形成して水の通る水通路を設けた
請求項１又は４記載の半導体記録メディア記録及び／又は再生装置。
【請求項６】
前記外装ケースの前記通気口と反対側に、前記吸気口から供給される空気を吸引する冷却ファンを設けた
請求項５記載の半導体記録メディア記録及び／又は再生装置。
【発明の詳細な説明】
【技術分野】
【０００１】
本発明は、半導体記録メディアを用いて情報信号の記録や再生を行う半導体記録メディア記録及び／又は再生装置に関し、特に、半導体記録メディアの放熱構造、及び雨滴等に対する防滴構造に関する。
【背景技術】
【０００２】
従来の、この種の半導体記録メディア記録及び／又は再生装置としては、例えば、特許文献１に記載されているようなものがある。特許文献１には、ＩＣカードの発熱を除去するＩＣカードとカード挿入装置に関するものが記載されている。特許文献１に記載されたＩＣカードとカード挿入装置は、電子回路とこの電子回路の接続部を有するＩＣカードと、このＩＣカードを挿入した状態でＩＣカードの接続部と接続する接続部を有するカード挿入装置とから構成されている。カード挿入装置は、放熱手段と、押圧手段と、押圧解放手段と、接続検知手段と、排出検知手段とを備えている。押圧手段は放熱手段の受熱部をＩＣカードに押圧し、押圧解放手段は押圧手段の押圧を解放する。また、接続検知手段はＩＣカードの接続部がカード挿入装置の接続部へ接続されるのを検知して押圧手段を作動し、排出検知手段はＩＣカードをカード挿入装置から排出することを検知し押圧解放手段を作動する、ことを特徴としている。
【０００３】
この特許文献１に記載されたＩＣカードとカード挿入装置によれば、放熱手段をＩＣカードに押し付けるようにして放熱を効果的に行うことにより、放熱量の大きい電子回路を搭載したＩＣカードを実現できる、という効果が期待される。
【先行技術文献】
【特許文献】
【０００４】
【特許文献１】特開平３−１８８５８９号公報
【０００５】
しかしながら、上述したＩＣカードとカード挿入装置においては、カード挿入装置が、ＩＣカードが着脱されるカード収納部を有するカードガイドを備えており、そのカード収納部に放熱フィンが配置されている。放熱フィンは、バネによってカード収納部を狭める方向に付勢されており、放熱フィンをバネで付勢してＩＣカードに押し付け、その放熱フィンでＩＣカードから放熱させてＩＣカードの発熱を抑制している。カード収納部に対するＩＣカードの差し込み及び抜き出し操作は、バネによる放熱フィンの押圧力に抗して行われている。そのため、ＩＣカードを差し込み又は引き出す際に、常にＩＣカードが放熱フィンと擦れ合うことになり、ＩＣカードが摩耗してしまうという問題があった。
【発明の概要】
【発明が解決しようとする課題】
【０００６】
解決しようとする問題点は、従来のＩＣカードとカード挿入装置では、放熱フィンがバネで付勢されていて、ＩＣカードを差し込み又は引き出す際には、常にＩＣカードが放熱フィンと擦れ合うために、ＩＣカードが摩耗してしまうという点である。
【課題を解決するための手段】
【０００７】
本発明の半導体記録メディア記録及び／又は再生装置は、メディアホルダと外装ケースと開閉蓋とヒートシンクとヒートシンク移動部とを備えて構成されている。メディアホルダは半導体記録メディアが着脱可能に収納されるメディア収納部を有する。外装ケースは半導体記録メディアが出し入れされるメディア出入口を有し、そのメディア出入口にメディア収納部を対向させたメディアホルダが収納され、そのメディア出入口が開閉蓋によって開閉可能とされている。ヒートシンクはメディア収納部に収納された半導体記録メディアに対して接触可能とされ、ヒートシンク移動部は開閉蓋の開閉動作に連動してヒートシンクを移動させる。ヒートシンク移動部の動作により、開閉蓋の開放時にはヒートシンクをメディア収納部から離れる方向に移動し、開閉蓋の閉鎖時にはヒートシンクをメディア収納部に近づける方向に移動してメディア収納部に収納されている半導体記録メディアに圧接させる。開閉蓋は、メディア出入口に対向される前面部と、前面部に連続してメディア出入口の側面に対向される側面部と、を有している。側面部に、外部の空気を取り込むための吸気口を設け、吸気口に、雨滴の浸入を防ぐために外装ケースの水平姿勢及び垂直姿勢の２姿勢に対応して外側の取付位置を低く設定し且つ内側の取付位置を高くして外側傾斜角を設定した側壁及び／又は防滴片を設けた。

【発明の効果】
【０００８】
本発明の半導体記録メディア記録及び／又は再生装置によれば、開閉蓋によるメディア出入口の開閉動作に連動してヒートシンク移動部がヒートシンクを移動させる。これにより、開閉蓋の開放時にはヒートシンクがメディア収納部から離れる方向に移動し、開閉蓋の閉鎖時にはヒートシンクがメディア収納部に近づける方向に移動してメディア収納部に収納されている半導体記録メディアに圧接される。その結果、半導体記録メディアの挿脱時、半導体記録メディアがヒートシンクと擦れ合うことがないため、ヒートシンクとの摩擦接触による半導体記録メディアの損傷を防ぐことができる。
【図面の簡単な説明】
【０００９】
【図１】本発明の半導体記録メディア記録及び／又は再生装置の実施の形態の一例を示すもので正面側から見た外観斜視図である。
【図２】図１に示す半導体記録メディア記録及び／又は再生装置の構成要素の概略を現した分解斜視図である。
【図３】図１に示す半導体記録メディア記録及び／又は再生装置の開閉蓋を開けてメディア出入口を開放した状態の外観斜視図である。
【図４】図１に示す半導体記録メディア記録及び／又は再生装置の右側面図である。
【図５】図１に示す半導体記録メディア記録及び／又は再生装置を背面側から見た外観斜視図である。
【図６】図１に示す半導体記録メディア記録及び／又は再生装置に係るメディアホルダの外観斜視図である。
【図７】図６に示すメディアホルダの構成要素の概略を現した分解斜視図である。
【図８】図６に示すメディアホルダから上下のヒートシンクを取り除き、メディア収納部の途中まで半導体記録メディアを差し込んだ状態の説明図である。
【図９】図８に示す状態から更に半導体記録メディアを差し込み、半導体記録メディアの接続部と半導体記録メディア記録及び／又は再生装置の接続部を接続した状態の説明図である。
【図１０】図８に示す状態のメディアホルダの平面図である。
【図１１】図９に示す状態のメディアホルダの平面図である。
【図１２】図１１のＷ矢視図である。
【図１３】図６に示すメディアホルダの動作を説明するもので、メディア収納部に収納された半導体記録メディアに上下のヒートシンクを圧接させる前の状態の斜視図である。
【図１４】図６に示すメディアホルダの動作を説明するもので、メディア収納部に収納された半導体記録メディアに上下のヒートシンクを圧接させた状態の斜視図である。
【図１５】図６に示すメディアホルダの動作を説明するもので、メディア収納部に収納された半導体記録メディアに上下のヒートシンクを圧接させる前の状態の右側面図である。
【図１６】図６に示すメディアホルダの動作を説明するもので、メディア収納部に収納された半導体記録メディアに上下のヒートシンクを圧接させた状態の右側面図である。
【図１７】図１に示す半導体記録メディア記録及び／又は再生装置を前後方向に沿って断面したもので、開閉蓋を閉じた状態の説明図である。
【図１８】図３に示す半導体記録メディア記録及び／又は再生装置を前後方向に沿って断面したもので、開閉蓋を開いた状態の説明図である。
【図１９】図１に示す半導体記録メディア記録及び／又は再生装置に係る開閉蓋の開閉動作とメディアホルダの圧接・離反動作を説明する説明図である。
【図２０】図１に示す半導体記録メディア記録及び／又は再生装置に係る上部ケースの前側部分を現した斜視図である。
【図２１】図１に示す半導体記録メディア記録及び／又は再生装置に係る上部ケースの前側部分を現した右側面図である。
【図２２】図１に示す半導体記録メディア記録及び／又は再生装置に係る上部ケースの前側部分を開閉蓋で閉じた状態の斜視図である。
【図２３】図２２に示す上部ケース及び開閉蓋の前側部分を断面して吸気口と通気口を現した説明図である。
【図２４】図２２に示す開閉蓋の外観斜視図である。
【図２５】図２４に示す開閉蓋の前側部分を断面して吸気口の形状を現した説明図である。
【図２６】図２２に示す開閉蓋を上側から見た説明図である。
【図２７】図２６に示す開閉蓋の上側部分を断面して吸気口の形状を現した説明図である。
【図２８】図１に示す半導体記録メディア記録及び／又は再生装置を前後方向に断面して冷却用空気の流れを現した説明図である。
【図２９】図１に示す半導体記録メディア記録及び／又は再生装置に用いて好適な半導体記録メディアの実施の形態の一例を示す外観斜視図である。
【図３０】図１に示す半導体記録メディア記録及び／又は再生装置が適用される電子機器の第１の使用の形態を現した斜視図である。
【図３１】図１に示す半導体記録メディア記録及び／又は再生装置が適用される電子機器の第２の使用の形態を現した斜視図である。
【発明を実施するための形態】
【００１０】
メディア収納部に隣接して配置したヒートシンクによる半導体記録メディアに対する圧接・離反動作と、メディア収納部に対向されたメディア出入口を開閉する開閉蓋の開閉動作を連動させる構成とした。そして、半導体記録メディアの挿入時及び取出し時にヒートシンクをメディア収納部から離反させ、半導体記録メディアがヒートシンクと擦れ合わないようにして、半導体記録メディアの摺動接触による損傷の恐れを無くした装置を、簡単な構成によって実現した。
【実施例】
【００１１】
図１乃至図５は、本実施例の半導体記録メディア記録及び／又は再生装置の実施の形態の一例を示すもので、半導体記録メディアを使用して情報信号の記録と再生の両方を行うことができるメモリーカード記録再生装置１である。しかしながら、半導体記録メディア記録及び／又は再生装置としては、情報信号の記録のみを行う半導体記録メディア記録装置として構成してもよく、また、情報信号の再生のみを行う半導体記録メディア再生装置として構成することもできる。
【００１２】
まず、メモリーカード記録再生装置１に使用して好適な半導体記録メディアについて、図２９を参照して説明する。図２９に示すメモリーカード２００は、半導体記録メディアの実施の形態の一例を示すもので、長方形で適度な厚みを有する筐体２０１と、この筐体２０１の内部に収納された図示しない半導体メモリー及びその制御装置等を備えて構成されている。制御装置は、半導体メモリーに情報信号を書き込みしたり、その半導体メモリーに記録されている情報信号を読み出したりするもので、中央処理装置等を備えて構成されている。
【００１３】
メモリーカード２００の筐体２０１は、互いに重ね合わされる第１ケース２０１ａと第２ケース２０１ｂとの組み合わせからなり、両ケース２０１ａ，２０１ｂによって囲まれた空間部内に、半導体メモリーや制御装置等が収納されている。筐体２０１の長手方向の一方の端部には接続部用開口部２０２が設けられており、その接続部用開口部２０２の内側に接続部２０３が設けられている。接続部２０３は、他の電子機器（例えば、メモリーカード記録再生装置１等）の接続部と電気的に接続するために着脱可能に係合されるものでコネクタによって構成されている。図示しないが、接続部２０３は、筐体２０１の内部において制御装置等と接続されており、制御装置や半導体メモリーと外部装置との間に情報信号や制御信号等を伝達させる。
【００１４】
筐体２０１の第１ケース２０１ａと第２ケース２０１ｂは、高い信頼性（耐熱性、耐衝撃性、挿抜耐久性等）を有する材料によって形成されている。特に、半導体メモリーや制御装置は、その動作によって熱が発生するため、発生した熱を早期に外部へ放出できるように比較的熱を容易に伝達できる材料によって形成されている。この筐体２０１の材質としては、例えば、ＡＢＳ（アクリロニトリル・ブタジエン・スチレン樹脂）等のプラスチックが好適である。しかしながら、筐体２０１の材質は、ＡＢＳに限定されるものではなく、ＰＯＭ（ポリアセタール）その他のプラスチックを用いることができることは勿論である。また、アルミニウム合金やステンレス鋼等の金属を用いることも可能である。
【００１５】
図２等に示すように、メモリーカード記録再生装置１は、外装ケース２と、この外装ケース２内に収納されたメディアホルダ３と、同じく外装ケース２内に収納された図示しない記録再生装置本体等を備えて構成されている。外装ケース２は、上部ケース５と、下部ケース６と、左側面パネル７と、右側面パネル８と、背面パネル９と、開閉蓋１０とを備えて構成されている。しかしながら、外装ケース２としては、このような構成のものに限定されるものではなく、メディア出入口を有する部材と、そのメディア出入口を開閉可能な開閉蓋を、少なくとも有するものであれば外装ケースとして適用することができる。
【００１６】
図２等に示すように、上部ケース５は、メディアホルダ３の上方を覆う上面部５ａと、上面部５ａの前部に連続する前面部５ｂと、前面部５ｂの下部に連続する張出し部５ｃと、上面部５ａの後部に連続する背面部５ｄとを有している。上面部５ａは、メディアホルダ３の上面全体を覆うことができる略四角形をなす天井のような部分からなり、その上面部５ａの前端から垂れ下がるように前面部５ｂが設けられ、上面部５ａの後端から垂れ下がるように背面部５ｄが設けられている。そして、前面部５ｂの下端から前方へ突出するように張出し部５ｃが設けられている。
【００１７】
上部ケース５の前面部５ｂの略中央部には、メモリーカード２００を挿入したり、引き抜いたりするための横長とされたメディア出入口１２が設けられている。メディア出入口１２は、メモリーカード２００を幅方向に断面したときの断面形状よりも少し大きな長方形の開口部として形成されている。更に、前面部５ｂのメディア出入口１２の一側には、メディアホルダ３のイジェクトロッド７５の先端が突出されるロッド用開口穴１３が設けられている。また、前面部５ｂから上面部５ａに亘る部分には、メディアホルダ３の左右のリッドアーム３１，３２の先端が突出される一対のアーム用開口穴１４，１４が設けられている。一対のアーム用開口穴１４，１４は、メディア出入口１２の長手方向の両端よりも外側に配置されている。
【００１８】
また、上部ケース５の前面部５ｂの下部には、冷却用の外気を通過させるための通気口１５が設けられている。通気口１５は、メディア出入口１２に沿って設けられた複数のスリット状の長穴からなり、各長穴の先端は張出し部５ｃまで延在されている。図２０及び図２１等に示すように、前面部５ｂ並びに当該前面部５ｂから上面部５ａに至る部分及び前面部５ｂから張出し部５ｃに至る部分は、それらの表面が他の部分よりも一段高くなるように形成されている。これにより、前面部５ｂ並びに上面部５ａの前端部及び張出し部５ｃの内側部分の周囲に段部１６を設け、この段部１６によって前面部５ｂ等の周囲に、水の抜ける水通路１７が形成されている。
【００１９】
上部ケース５の張出し部５ｃの先端には、２段階に凹むように形成された切欠き部１８ａ，１８ｂが設けられている。外側切欠き部１８ａは、その底面を、閉じた状態の開閉蓋１０の表面と略一致させるために設けたもので、その内側に位置する内側切欠き部１８ｂに開閉蓋１０の先端部が係合される。この内側切欠き部１８ｂの略中央部に、開閉蓋１０をロックする係合凸部１９が設けられている。
【００２０】
図２等に示すように、下部ケース６は、上部ケース５の下面を覆うもので、上部ケース５の平面形状に見合う形状及び大きさを有している。下部ケース６は、略四角形をなす下面部６ａと、この下面部６ａの四辺を囲うように形成された側面部６ｂとを有している。この下部ケース６の下面部６ａに、メディアホルダ３が、そのメディア収納部４７の空間を広狭変更可能に取り付けられている。そして、下面部６ａにメディアホルダ３を収納した状態において、下部ケース６の上方に上部ケース５が重ね合わされ、複数の固定ねじによって着脱可能に締め付け固定されている。
【００２１】
左側面パネル７は、上下に重ね合わされた上部ケース５と下部ケース６の左側面に形成された開口部を閉じるもので、板状の部材として形成されている。この左側面パネル７は、複数の固定ねじによって上部ケース５と下部ケース６に着脱可能に締め付け固定されている。右側面パネル８は、上下に重ね合わされた上部ケース５と下部ケース６の右側面に形成された開口部を閉じるもので、板状の部材として形成されている。この右側面パネル８は、複数の固定ねじによって上部ケース５と下部ケース６に着脱可能に締め付け固定されている。右側面パネル８の内面には、外部装置と電気的に接続するためのコネクタユニット２１が取り付けられている。
【００２２】
上部ケース５の背面部５ｄと下部ケース６の背面側の側面部６ｂには、背面パネル９が係合される開口部２２が設けられている。その開口部２２に嵌め合わされた状態で背面パネル９が，複数の固定ねじによって上部ケース５と下部ケース６に着脱可能に締め付け固定されている。図５に示すように、背面パネル９には複数の開口溝を有する通風口２３が設けられている。通風口２３は、背面パネル９の略中央部に設けられており、この通風口２３の内側に冷却ファンの一具体例を示す排気ファン２４が取り付けられている。
【００２３】
開閉蓋１０は、図２及び図２４〜図２７に示すような構成を有している。即ち、開閉蓋１０は、上部ケース５の張出し部５ｃの上方を覆う上面部１０ａと、上面部１０ａの前端に連続する前面部１０ｂと、上面部１０ａ及び前面部１０ｂの左右に連続する側面部１０ｃ，１０ｄとを有している。上面部１０ａは、上部ケース５の張出し部５ｃから上面部５ａの前部に至る部分を覆うことができる大きさを有している。そして、上面部１０ａの前後方向の中間部であって左右方向の両側部には、左右リッドアーム３１，３２の先端部をねじ止めするための固定ねじが係合される挿通孔３４，３４が設けられている。
【００２４】
開閉蓋１０の前面部１０ｂは、上面部１０ａの前端から下方へ立ち下がるように形成されており、その下部には、張出し部５ｃの内側切欠き部１７ｂに係合される突出部３５が設けられている。突出部３５は、前面部１０ｂの下端縁に沿って左右方向に延在されており、その長手方向の略中央部にバックル３６を収容するための凹部３７が設けられている。バックル３６は、前面部１０ｂに回動可能に支持されていると共に、図示しないスプリングにより付勢されて、背面側に設けた爪部が前面部１０ｂの内側に突出されている。
【００２５】
図２４及び図２６等に示すように、開閉蓋１０の左右側面部１０ｃ，１０ｄは、上部ケース５の左右側面の形状に対応する形状を有している。即ち、左右側面部１０ｃ，１０ｄは、前側に設けた側面壁３８ａと、側面壁３８ａの上部に連続して後側に延在された上部縁３８ｂとからなっている。側面壁３８ａの下面から背面を経て上部縁３８ｂの下面に連続する部分は、上部ケース５の張出し部５ｃの側部から前面部５ｂの側部を経て上面部５ａの前部に至るまでの部分の形状に見合う形状を有している。これにより、開閉蓋１０の左右側面部１０ｃ，１０ｄの外縁部と上部ケース５の前面部５ｂ等の外縁部をオーバーラップさせ、これらの間に水の抜ける水通路１７を形成している。
【００２６】
更に、左右側面部１０ｃ，１０ｄの各側面壁３８ａには、外部の空気を外装ケース２内に取り込むための吸気口４１が設けられている。吸気口４１は、側面壁３８ａの形状に見合う形状、即ち、側面壁３８ａを少し小さくしたような形状を有していると共に、奥行き方向に適度な深さ（幅）Ｅを設定して設けられている。この吸気口４１の内側の縁部は、張出し部５ｃの外縁とオーバーラップするように形成されている。吸気口４１の内部には、２枚の防滴片４２ａ，４２ｂが上下方向へ適当な間隔をあけると共に前後方向へ掛け渡すように設けられている。２枚の防滴片４２ａ，４２ｂは、吸気口４１の深さＥの範囲内において幅Ｆとして幅広に設定されていると共に、前下がりであって且つ外側下がりとなるように形成されている。
【００２７】
即ち、２枚の防滴片４２ａ，４２ｂには、図２５に示すように、水平方向の基準面の二軸をＸ軸及びＹ軸とし、これらに直交する垂直方向をＺ軸としたときに、後下がり角度θと、外側下がり角度φとが設定されている。この後下がり角度（後側傾斜角）θと外側下がり角度（外側傾斜角）φは、次のような意義を有する。即ち、各防滴片４２ａ，４２ｂ及び、又は吸気口４１の側壁上に雨粒が落下してきたときに、自重によって水滴が自動的に低い外側（水平姿勢時）又は後側（垂直姿勢時）へ流れ落ちて、外部に排出されるように設けたものである。この後側傾斜角θと外側傾斜角φは、吸気口４１の役割としてできるだけ多くの空気を通過させる必要があることを考慮して設定する必要がある。そうすると、後側傾斜角θと外側傾斜角φとしては、１５度〜３５度の範囲内に設定することが好ましく、最も好ましい角度は２５度程度である。
【００２８】
ここで、本実施例において、防滴とは、地表面と垂直をなす方向に対して１５度傾斜した方向へ重力により雨滴が落下するときに、その雨滴の浸入を防ぐことができることを言うものとする。また、本実施例において、防雨とは、地表面と垂直をなす方向に対して４５度傾斜した方向へ雨滴が落下するときに、その雨滴の浸入を防ぐことができることを言うものとする。本実施例では、防滴を目的としているため、後側傾斜角θ及び外側傾斜角φとして上記のような角度を設定したものである。θは図３０の使用形態（垂直姿勢）、φは図３１の使用形態（水平姿勢）の２つの姿勢に対応させて設定している。
【００２９】
この場合、前側傾斜角θ及び外側傾斜角φとして１５度以下の角度を設定すると、防滴の目的を達成できなくなる。これに対して、前側傾斜角θ及び外側傾斜角φとして３５度以上の角度を設定すると、防滴の目的を達成することはできるが、通気口１５を通過する空気の流動抵抗が大きくなるため、好ましいものではない。
【００３０】
上部ケース５と下部ケース６と左側面パネル７と右側面パネル８と背面パネル９の材質としては、例えば、ＡＢＳ等のプラスチックが好適である。しかしながら、これら部材の材質としては、ＡＢＳに限定されるものではなく、ＰＯＭその他のプラスチックを用いることができることは勿論のこと、アルミニウム合金等の金属を用いることもできる。
【００３１】
メディアホルダ３は、ガイドレール２５とスライダ２６と上部ベースプレート２７と上部ヒートシンク２８と下部ベースプレート２９と下部ヒートシンク３０と左リッドアーム３２と右リッドアーム３１とイジェクトリンクユニット３３等を備えている。図６，図７に示すように、ガイドレール２５は、左右方向に所定の間隔をあけて対向設置された一対のレール部材４４ａ，４４ｂと、この一対のレール部材４４ａ，４４ｂの背面側に配置されたコネクタ４５を有している。コネクタ４５は、所定形状の配線パターンを有するコネクタ用配線基板４６の一面に実装されており、その配線基板４６に一対のレール部材４４ａ，４４ｂの各端部が固定ねじでねじ止めされて一体的に構成されている。
【００３２】
一対のレール部材４４ａ，４４ｂは、断面形状がコ字状をなす型材によって形成されており、この一対のレール部材４４ａ，４４ｂの内側にメディア収納部４７が形成されている。メディア収納部４７のコネクタ４５と反対側が、メモリーカード２００が出し入れされる挿入口４８であり、その挿入口４８から挿入されたメモリーカード２００が一対のレール部材４４ａ，４４ｂの凹部にガイドされてメディア収納部４７を出し入れされる。メモリーカード２００をメディア収納部４７の最深部まで差し込むことにより、メモリーカード２００の接続部２０３が、メモリーカード記録再生装置１の接続部であるコネクタ４５に差し込まれて合体される。これにより、メモリーカード２００の接続部２０３とメモリーカード記録再生装置１のコネクタ４５とが電気的に接続される。
【００３３】
一対のレール部材４４ａ，４４ｂの外側にはスライダ２６が配置されている。スライダ２６は、イジェクト操作時に挿入口４８側にスライドしてメモリーカード２００を所定距離だけ排出させるものである。スライダ２６は、所定の間隔をあけて対向するように設置された一対の枠片２６ａ，２６ａと、両枠片２６ａ，２６ａ間を連結する連結片２６ｂを有している。連結片２６ｂには、メディア収納部４７側に突出する押圧片４９が設けられており、この押圧片４９により押圧されてメモリーカード２００が所定位置まで押し出される。このスライダ２６を所定量移動させるために、一対の枠片２６ａ，２６ａには移動範囲設定部５１，５１が設けられている。
【００３４】
これに対応して、ガイドレール２５の一対のレール部材４４ａ，４４ｂには、スライダ２６の移動量を規制する前後の規制片５２ａ，５２ｂがそれぞれ設けられている。このガイドレール２５の前後の規制片５２ａ，５２ｂの間にスライダ２６の移動範囲設定部５１が介在されている。これにより、前後の規制片５２ａ，５２ｂ間において移動範囲設定部５１との間に設定された隙間の分だけスライダ２６がガイドレール２５に対して相対的に移動可能に構成されている。
【００３５】
上部ベースプレート２７は、メディア収納部４７の一面（本実施例では上面）に配置されるもので、メディア収納部４７の上面の全体を覆うことができる板状の部材によって形成されている。この上部ベースプレート２７の上面に上部ヒートシンク２８が搭載されている。図６及び図７に示すように、上部ヒートシンク２８は、コイルばね５３が装着された複数の固定ねじ５４による締付力により付勢されて上部ベースプレート２７に対して弾性的に支持されている。上部ベースプレート２７には、その表裏面間を貫通する長方形の開口穴５５が設けられており、その開口穴５５に上部ヒートシンク２８の受熱部５６が所定の隙間をあけて嵌合されている。
【００３６】
上部ヒートシンク２８の受熱部５６は、上部ベースプレート２７の面より外側へ突出するように形成されている。これにより、上部ヒートシンク２８をメモリーカード２００の一面に押圧したときに、上部ベースプレート２７の面がメモリーカード２００の面に接触することなく、受熱部５６の表面のみがメモリーカード２００の面に接触するように構成されている。上部ヒートシンク２８の受熱部５６と反対側には、メモリーカード２００の出し入れ方向に延在された複数の放熱用フィン５７〜５７が設けられている。更に、上部ヒートシンク２８の前側部分には、メモリーカード２００の出し入れ方向と直交する方向に延在された一対のカムピン５８，５８が設けられている。
【００３７】
また、上部ベースプレート２７の前側部分には、メモリーカード２００の出し入れ方向と直交する水平方向に延在された一対の枢軸６０，６０が設けられている。一対の枢軸６０，６０は、上部ベースプレート２７の側面部を立ち上げることによって形成した一対の立上げ片２７ａ，２７ａに立設されている。この一対の立上げ片２７ａ，２７ａに設けた各枢軸６０、６０に、左右のリッドアーム３１，３２がそれぞれ個別に回動可能に支持されている。左右のリッドアーム３１，３２は、開閉蓋１０の開閉動作とメディアホルダ３の開閉動作を連動させるもので、上部ベースプレート２７の両側部であって左右対称をなす位置に配置されている。
【００３８】
左リッドアーム３２と右リッドアーム３１は略同様の形状を有しており、扇形に形成された扇形部６１ａと、扇形部６１ａの扇の要部に形成された軸受部６１ｂと、扇形部６１ａの先端側の一側に連続して形成された連結支持部６１ｃと、を有している。軸受部６１ｂは、先端部を折り曲げて互いに平行をなす２面を設けることによって形成されている。この軸受部６１ｂを枢軸６０で支持することにより左右のリッドアーム３１，３２が上部ベースプレート２７にそれぞれ回動可能に取り付けられている。左リッドアーム３２と右リッドアーム３１の違いは、軸受部６１ｂの先端部の突出側が逆方向となっている点であり、次に述べる形状等を含めて、その他の構成は同様である。
【００３９】
左右のリッドアーム３１，３２の連結支持部６１ｃは、先端部を９０度折り曲げることによって形成されている。この連結支持部６１ｃは、開閉蓋１０の内面に当接され、その当接部を固定ねじでねじ止めすることにより開閉蓋１０が左右のリッドアーム３１，３２に固定されている。各リッドアーム３１，３２の扇形部６１ａはカムプレートの一具体例を示している。リッドアーム３１，３２の各扇形部６１ａには、枢軸６０を中心とすると共に曲率半径を異にして周方向に延在された第１のカム溝６２と第２のカム溝６３が設けられている。
【００４０】
左右のリッドアーム３１，３２の第１のカム溝６２，６２は上部ヒートシンク２８を回動させるもので、第１のカム溝６２，６２には上部ヒートシンク２８に設けた一対のカムピン５８，５８がそれぞれ摺動可能に係合される。左右のリッドアーム３１，３２の第２のカム溝６３，６３は下部ヒートシンク３０を回動させるもので、第２のカム溝６３，６３には下部ヒートシンク３０に設けた一対のカムピン７１，７１がそれぞれ摺動可能に係合される。
【００４１】
下部ベースプレート２９は、メディア収納部４７の他面（本実施例では下面）に配置されるもので、メディア収納部４７の下面の全体を覆うことができる板状の部材によって形成されている。この下部ベースプレート２９の下面に下部ヒートシンク３０が搭載されている。図６及び図７に示すように、下部ヒートシンク３０は、コイルばね６５が装着された複数の固定ねじ６６による締付力により付勢されて下部ベースプレート２９に対して弾性的に支持されている。下部ベースプレート２９には、その表裏面間を貫通する長方形の開口穴６７が設けられており、その開口穴６７に下部ヒートシンク３０の受熱部６８が所定の隙間をあけて嵌合されている。
【００４２】
下部ヒートシンク３０の受熱部６８は、下部ベースプレート２９の面より外側へ突出するように形成されている。これにより、下部ヒートシンク３０をメモリーカード２００の他面に押圧したときに、下部ベースプレート２９の面がメモリーカード２００の面に接触することなく、受熱部６８の表面のみがメモリーカード２００の面に接触するように構成している。下部ヒートシンク３０の受熱部６８と反対側には、メモリーカード２００の出し入れ方向に延在された複数の放熱用フィン６９〜６９が設けられている。更に、下部ヒートシンク３０の前側部分には、メモリーカード２００の出し入れ方向と直交する方向に延在された一対のカムピン７１，７１が設けられている。この一対のカムピン７１，７１が、左右のリッドアーム３１，３２に設けた第２のカム溝６３，６３にそれぞれ摺動可能に係合されている。
【００４３】
図１５及び図１６に示すように、第１のカム溝６２は、周方向に延在された円弧状の長穴として形成されているが、枢軸６０の中心から長穴中心までの長さ（曲率半径）Ｒｉは、周方向に沿って連続的に変化している。即ち、第１のカム溝６２における連結支持部６１ｃ側の端部の曲率半径Ｒi1は、その反対側の端部の曲率半径Ｒi2よりも少し大きく（Ｒi1＞Ｒi2）設定されている。そのため、左右のリッドアーム３１，３２が回動すると、第１のカム溝６２と第２のカム溝６３との中間位置から第１のカム溝６２までの長さが変化するため、その回動量に応じて上部ヒートシンク２８がメモリーカード２００に対して接近・離反される。この第１のカム溝６２の曲率半径の変化（差＝Ｒi1−Ｒi2）により、上部ヒートシンク２８に姿勢変化を生じさせて、挿入口４８側をその反対側よりも大きく移動させることができる。
【００４４】
また、第２のカム溝６３は、図１５及び図１６に示すように、周方向に延在された円弧状の長穴として形成されているが、枢軸６０の中心から長穴中心までの長さ（曲率半径）Ｒｏは、同じく周方向に沿って連続的に変化している。即ち、第２のカム溝６３における連結支持部６１ｃ側の端部の曲率半径Ｒo1は、その反対側の端部の曲率半径Ｒo2よりも少し小さく（Ｒo1＜Ｒo2）設定されている。そのため、左右のリッドアーム３１，３２が回動すると、第１のカム溝６２と第２のカム溝６３との中間位置から第２のカム溝６３までの長さが変化するため、その回動量に応じて下部ヒートシンク３０がメモリーカード２００に対して接近・離反される。この第２のカム溝６３の曲率半径の変化（差＝Ｒo2−Ｒo1）により、下部ヒートシンク３０に姿勢変化を生じさせて、挿入口４８側をその反対側よりも大きく移動させることができる。
【００４５】
上部ベースプレート２７と下部ベースプレート２９は、挿入口４８と反対側の端部において、回動軸７２によって互いに回動可能に連結されている。即ち、上部ベースプレート２７の挿入口４８と反対側の左右両側部には、下部ヒートシンク３０側に突出する離間片２７ａがそれぞれ設けられている。また、下部ベースプレート２９の挿入口４８と反対側の左右両側部には、上部ヒートシンク２８側に折り曲げ形成された軸受片２９ａがそれぞれ設けられている。上部ベースプレート２７及び下部ベースプレート２９の両側部において、離間片２７ａの先端部と軸受片２９ａの先端部は互いに重なり合うように形成されており、それぞれの重合部に回動軸７２，７２が貫通されている。この一対の回動軸７２，７２を介して、上部ベースプレート２７と下部ベースプレート２９が回動可能に連結されている。
【００４６】
かくして、左右のリッドアーム３１，３２の第１のカム溝６２は、図１７及び図１９に示すように、開閉蓋１０の閉鎖時、上部ヒートシンク２８に設けたカムピン５８をガイドして上部ヒートシンク２８をメディア収納部４７に近づく方向（下方）へ回動させる。そして、固定ねじ５４に装着されているコイルばね５３のばね力により、メディア収納部４７に収納されているメモリーカード２００の上面に上部ヒートシンク２８の受熱部５６が圧接される。一方、図１８及び図１９に示すように、開閉蓋１０の開放時、第１のカム溝６２は、コイルばね５３のバネ力に抗してカムピン５８をガイドし、上部ヒートシンク２８をメディア収納部４７から離れる方向（上方）へ回動させる。これにより、上部ヒートシンク２８の受熱部５６がメモリーカード２００の上面から離反され、受熱部５６とメモリーカード２００との間に隙間が形成される。
【００４７】
これに対して、左右のリッドアーム３１，３２の第２のカム溝６３は、図１７及び図１９に示すように、開閉蓋１０の閉鎖時、下部ヒートシンク３０に設けたカムピン７１をガイドして下部ヒートシンク３０をメディア収納部４７に近づく方向（上方）へ回動させる。そして、固定ねじ６６に装着されているコイルばね６５のばね力により、メディア収納部４７に収納されているメモリーカード２００の下面に下部ヒートシンク３０の受熱部６８が圧接される。一方、図１８及び図１９に示すように、開閉蓋１０の開放時、第２のカム溝６３は、コイルばね６５のバネ力に抗してカムピン７１をガイドし、下部ヒートシンク３０をメディア収納部４７から離れる方向（下方）へ回動させる。これにより、下部ヒートシンク３０の受熱部６８がメモリーカード２００の下面から離反され、受熱部６８とメモリーカード２００との間に隙間が形成される。
【００４８】
第１のカム溝６２及び第２のカム溝６３を有する左右のリッドアーム３１，３２と、上部ヒートシンク２８に設けたカムピン５８，５８と、下部ヒートシンク３０に設けたカムピン７１，７１によってヒートシンク移動部が構成されている。ヒートシンク移動部は、開閉蓋１０の開閉動作に連動して上部ヒートシンク２８及び下部ヒートシンク３０の姿勢を変化させるように移動させる。
【００４９】
図６〜図１２に示すように、イジェクトリンクユニット３３は、メディア収納部４７に収納されているメモリーカード２００を排出させるものである。このイジェクトリンクユニット３３は、イジェクトロッド７５と、ユニットホルダ７６と、連結リンク７７と、回動リンク７８と、リターンばね７９等を備えて構成されている。イジェクトロッド７５は、ユニットホルダ７６によって軸方向へスライド可能に支持されており、イジェクトロッド７５の軸方向の後端に連結リンク７７の先端が回動可能に連結されている。回動リンク７８は、ガイドレール２５に立設された支持軸８１に回動可能に支持されている。支持軸８１は、回動リンク７８の長手方向の中間部を貫通しており、その長手方向の一側に連結リンク７７の後端が回動可能に連結されている。
【００５０】
回動リンク７８の長手方向の他側は、先端側に開口する凹部７８ａを有する二股形状とされており、その凹部７８ａにはスライダ２６に設けた作動ピン８２が係合されている。リターンばね７９には、引っ張り方向に弾性を付与する引張りコイルばねが適用されていて、メモリーカード２００が出し入れされる方向に軸心を向けて、一端がガイドレール２５に係合され、他端がスライダ２６に係合されている。このリターンばね７９のばね力によりスライダ２６が常に挿入口４８側に付勢されていて、その前端側への移動が、移動範囲設定部５１の前側への移動を規制する前側規制片５２ａによって防止されている。
【００５１】
図８及び図１０は、メモリーカード２００がメディア収納部４７の所定位置に装着される少し前の位置であって、接続部２０３がコネクタ４５に接続されていない状態を示している。この状態では、スライダ２６はリターンばね７９のばね力で挿入口４８側に引っ張られて前端の位置にあり、作動ピン８２に凹部７８ａが係合している回動リンク７８は、凹部７８ａを有する二股部が支持軸８１の前側に位置している。そのため、イジェクトリンクユニット３３のイジェクトロッド７５は、連結リンク７７を介して回動リンク７８によりコネクタ４５側に引っ張られ、後退した位置にある。このときのイジェクトロッド７５の先端面は、上部ケース５の前面部５ｂの表面と略同一平面上に位置している。
【００５２】
この状態から、リターンばね７９のばね力に抗してメモリーカード２００をコネクタ４５側に押し込むと、メモリーカード２００に押圧されてスライダ２６が一体的に移動する。これにより、図９及び図１１に示すように、接続部２０３がコネクタ４５に接近し、メモリーカード２００を所定位置まで押し込むことにより接続部２０３がコネクタ４５に接続され、メモリーカード２００とメモリーカード記録再生装置１が電気的に接続される。この接続状態において、接続部２０３とコネクタ４５の嵌合力により、その位置でスライダ２６がロックされる。
【００５３】
この状態では、回動リンク７８の二股部に設けた凹部７８ａは、支持軸８１の後側に位置している。そのため、イジェクトロッド７５は、回動リンク７８を介して連結リンク７７により挿入口４８側に押し出され、前進した位置にある。このときのイジェクトロッド７５の先端面は、上部ケース５の前面部５ｂの表面よりも前方に突出されている。そこで、このイジェクトロッド７５の突出部を押し込むことにより、メモリーカード２００を外部に排出させるイジェクト操作を行うことができる。
【００５４】
本実施例のメモリーカード記録再生装置１によれば、例えば、次のようにしてメモリーカード２００の出し入れ操作を行うことができる。メモリーカード２００をメモリーカード記録再生装置１に装着する場合には、開閉蓋１０を開放操作して外装ケース２のメディア出入口１２を開口させる。まず、開閉蓋１０のバックル３６を押圧して開閉蓋１０のロックを解除し、開閉蓋１０を上方へ押し開く。これにより、開閉蓋１０の姿勢が、図１７に示す状態から図１８に示す状態に変化し、左右のリッドアーム３１，３２が枢軸６０，６０を中心として、図１７等において時計方向へ回動される。
【００５５】
この場合、左右のリッドアーム３１，３２には第１のカム溝６２と第２のカム溝６３が夫々形成されている。そして、第１のカム溝６２には上部ヒートシンク２８のカムピン５８が摺動可能に係合され、第２のカム溝６３には下部ヒートシンク３０のカムピン７１が摺動可能に係合されている。第１のカム溝６２と第２のカム溝６３は、メディア出入口１２側の間隔に比べて反対側の間隔が広く設定されている。そのため、リッドアーム３１，３２の回動量に応じて、第１のカム溝６２によってカムピン５８が上方に押し上げられ、第２のカム溝６３によってカムピン７１は下方に押し下げられる。上部ヒートシンク２８と下部ヒートシンク３０は、上部ベースプレート２７と下部ベースプレート２９を介してメディア出入口１２と反対側の端部で回動軸７２によって回動可能に連結されている。
【００５６】
これにより、図１９に示すように、リッドアーム３１，３２が回動すると、メディア収納部４７において、メディア出入口１２側が大きく開口され、その反対の回動軸７２側が小さく開口される。そのため、上部ヒートシンク２８の受熱部５６が上方に押し広げられ、下部ヒートシンク３０の受熱部６８が下方に押し広げられる。そこで、メディア出入口１２からメディア収納部４７内にメモリーカード２００を挿入することにより、上下の受熱部５６，６８に摺動接触することなくメモリーカード２００をメディア収納部４７に挿入することができる。しかも、メディア収納部４７のメディア出入口１２側が回動軸７２側よりも大きく開口されるため、メモリーカード２００の上面が上部ヒートシンク２８の受熱部５６に擦れたり、下面が下部ヒートシンク３０の受熱部６８に擦れたりするおそれがない。従って、メモリーカード２００の面が受熱部５６，６８と摺動接触することによるメモリーカード２００の損傷を防ぐことができる。
【００５７】
次に、図１８に示す状態から開閉蓋１０を押圧し、図１７に示すように開閉蓋１０で上部ケース５のメディア出入口１２を閉じるようにする。この場合、左右のリッドアーム３１，３２の回動により、上部ヒートシンク２８と一体のカムピン５８は、第１のカム溝６２にガイドされて押し下げられ、受熱部５６がメモリーカード２００の上面に押し付けられる。このとき、上部ヒートシンク２８がコイルばね５３によってメディア収納部４７側に付勢されているため、そのコイルばね５３の弾性による付勢力によって受熱部５６の表面がメモリーカード２００の上面に圧接される。これにより、メモリーカード２００の上面に生じている熱を上部ヒートシンク２８によって確実に吸収し、その熱を外部に放出することができる。
【００５８】
また、左右のリッドアーム３１，３２の回動により、下部ヒートシンク３０と一体のカムピン７１は、第２のカム溝６３にガイドされて押し上げられ、受熱部６８がメモリーカード２００の下面に押し付けられる。このとき、下部ヒートシンク３０がコイルばね６５によってメディア収納部４７側に付勢されているため、そのコイルばね６５の弾性による付勢力によって受熱部６８の表面がメモリーカード２００の下面に圧接される。これにより、メモリーカード２００の下面に生じている熱を下部ヒートシンク３０によって確実に吸収し、その熱を外部に放出することができる。
【００５９】
次に、メディア収納部４７に収納されているメモリーカード２００を取り出す場合は、イジェクトリンクユニット３３のイジェクトロッド７５を押圧する。イジェクトロッド７５を押圧すると、その力が連結リンク７７を介して回動リンク７８に伝達され、支持軸８１を中心に回動リンク７８を回動させる。このとき、リターンばね７９のばね力が回動リンク７８の回動力に付加され、回動リンク７８が支持軸８１を中心に回動してスライダ２６を前方の挿入口４８側へ移動させる。これにより、スライダ２６に設けた押圧片４９がメモリーカード２００を前方に押圧し、メモリーカード２００を所定位置まで押し出す。その結果、メモリーカード２００の一部がメディア出入口１２から突出され、メモリーカード２００を掴むことができる状態となる。そこで、メモリーカード２００の突出部を掴んで引き出すことにより、メモリーカード２００をメモリーカード記録再生装置１から取り出すことができる。
【００６０】
メモリーカード記録再生装置１は、排気ファン２４を駆動して外装ケース２の内部に外気を通過させることにより、メモリーカード２００を強制的に冷却させることができる。図２８は、排気ファン２４による強制冷却構造を説明するものである。排気ファン２４は、外装ケース２の背面部５ｄの略中央に配置されており、その前方にメディアホルダ３が配置されている。メディアホルダ３は、メモリーカード２００を上下から挟むことができる上部ヒートシンク２８と下部ヒートシンク３０を備えており、上部及び下部ヒートシンク２８，３０には前後方向へ直線状に延在された複数の放熱用フィン５７，６９が設けられている。
【００６１】
そのため、排気ファン２４を作動すると、外装ケース２の内部の圧力が低下することにより、開閉蓋１０の側面部１０ｃ，１０ｄに設けた吸気口４１から外気が上部ケース５の前面部５ｂに導入される。前面部５ｂに導入された空気は、上部ケース５に設けた通気口１５やアーム用開口穴１４等から上部ケース５内に入り込む。そして、メモリーカード２００の上面側では上部ヒートシンク２８に設けた複数の放熱用フィン５７の間の空間から後方に流れ、メモリーカード２００の下面側では下部ヒートシンク３０に設けた複数の放熱用フィン６９の間の空間から後方に流れる。そして、排気ファン２４を通過して外部に放出され、上部ヒートシンク２８と下部ヒートシンク３０で集めた熱を外気中に放出させる。
【００６２】
この場合、外装ケース２の内部においては、冷却用空気の通路が、メモリーカード２００が出し入れされる方向と平行をなす前後方向に直線状に形成されているため、外装ケース２内における空気の滞留を防ぐことができる。そのため、メモリーカード２００からの放熱を迅速且つ効果的に行うことができ、熱によるメモリーカード２００の損傷を抑制することができる。また、吸気口４１に防滴片４２ａ，４２ｂを設け、その防滴片４２ａ，４２ｂ及び、又は吸気口４１の側壁に斜め方向の角度を付けて後側傾斜角θと外側傾斜角φを設け、奥行きを持たせる構成とした。そのため、防滴効果を発揮させて、１５度程度の角度で降ってくる雨粒の浸入を効果的に防ぐことができる。更に、図２３に示すように、上部ケース５の前面部５ｂに段部１６を設けると共に、その段部１６と防滴片４２ａ，４２ｂの内側部分とをオーバーラップさせ、段部１６の外側に水滴の抜ける水通路１７を設ける構成とした。これにより、パッキン等の密封装置を使用することなく、上部ケース５と開閉蓋１０の形態のみで防滴機能を発揮させることが可能となった。
【００６３】
図３０及び図３１は、前述した構成及び作用・効果を有するメモリーカード記録再生装置１を、電子機器の一具体例を示す業務用ビデオカメラ１００に使用した実施の形態の例を示すものである。図３０は、ビデオカメラ１００の背面にメモリーカード記録再生装置１を配置した状態を示すもので、図３１、ビデオカメラ１００の上面にメモリーカード記録再生装置１を配置した状態を示すものである。
【００６４】
ビデオカメラ１００は、撮影用の制御装置その他の装置・機器が内蔵されたカメラ本体１０１と、このカメラ本体１０１の前面に着脱可能に取り付けられたレンズ装置１０２等を備えて構成されている。図３０に示すビデオカメラ１００では、カメラ本体１０１の背面に、図示しない取付ねじ等を用いてメモリーカード記録再生装置１が取り付けられている。また、図３１に示すビデオカメラ１００では、カメラ本体１０１の上面に、図示しない取付ねじ等を用いてメモリーカード記録再生装置１が取り付けられている。このメモリーカード記録再生装置１を取り付けたビデオカメラ１００によれば、大容量のメモリーカードを記憶装置として用いることができ、長時間に渡る連続撮影を可能とすることができる。また、角度を付けた吸気口４１を側壁に設け、その吸気口４１に防滴片４２ａ，４２ｂを設けたことにより、略垂直に落下する雨水が開閉蓋１０内に入り込むのを抑制することができる。しかも、開閉蓋１０の内側には水通路１７が設けられているため、その水通路１７を通して水滴を外部に排出させることができ、シール材を用いることなく防滴効果を発揮することができる。
【００６５】
以上説明したが、本発明は前記実施例に限定されるものではなく、本発明の要旨を逸脱しない範囲内で各種の変形実施が可能である。前述の実施例では、上下のヒートシンクでメモリーカードを挟んで放熱させる例について説明したが、上部のヒートシンクのみとしても良く、また、下部のヒートシンクのみとする構成とすることもできる。また、上下のヒートシンクにおいて、放熱フィンを直線状に延びる突条部として形成したが、曲線状又はジグザク状に連続する突条部として形成することもできる。
【符号の説明】
【００６６】
１…メモリーカード記録再生装置（半導体記録メディア記録及び／又は再生装置）、  ２…外装ケース、  ３…メディアホルダ、  ５…上部ケース、  ５ｂ…前面部、  ５ｃ…張出し部、  ６…下部ケース、  １０…開閉蓋、  １０ｂ…前面部、  １０ｃ，１０ｄ…側面部、  １２…メディア出入口、  １５…通気口、  １６…段部、  １７…水通路、  ２３…通風口、  ２４…排気ファン（冷却ファン）、  ２５…ガイドレール、  ２６…スライダ、  ２７…上部ベースプレート、  ２８…上部ヒートシンク、  ２９…下部ベースプレート、  ３０…下部ヒートシンク、  ３１…右リッドアーム（カムプレート）、  ３２…左リッドアーム（カムプレート）、  ３６…バックル、  ４１…吸気口、  ４２ａ，４２ｂ…防滴片、  ４５…コネクタ（接続部）、  ４７…メディア収納部、  ４９…押圧片、  ５１…移動範囲設定部、  ５２ａ，５２ｂ…規制片、  ５６…受熱部、  ５７…放熱用フィン、  ５８…カムピン、  ６０…枢軸、  ６１ａ…扇形部（カムプレート）、  ６２…第１のカム溝、  ６３…第２のカム溝、  ６５…コイルばね、  ６８…受熱部、  ６９…放熱用フィン、  ７１…カムピン、  ７２…回動軸、  ７５…イジェクトロッド、  ７８…回動リンク、  ７８ａ…凹部、  ７９…リターンばね、  ８１…支持軸、  ８２…作動ピン、  １００…業務用ビデオカメラ、  ２００…メモリーカード（半導体記録メディア）、  ２０３…接続部
【図１】
0005655658.tif 000002
【図２】
0005655658.tif 000003
【図３】
0005655658.tif 000004
【図４】
0005655658.tif 000005
【図５】
0005655658.tif 000006
【図６】
0005655658.tif 000007
【図７】
0005655658.tif 000008
【図８】
0005655658.tif 000009
【図９】
0005655658.tif 000010
【図１０】
0005655658.tif 000011
【図１１】
0005655658.tif 000012
【図１２】
0005655658.tif 000013
【図１３】
0005655658.tif 000014
【図１４】
0005655658.tif 000015
【図１５】
0005655658.tif 000016
【図１６】
0005655658.tif 000017
【図１７】
0005655658.tif 000018
【図１８】
0005655658.tif 000019
【図１９】
0005655658.tif 000020
【図２０】
0005655658.tif 000021
【図２１】
0005655658.tif 000022
【図２２】
0005655658.tif 000023
【図２３】
0005655658.tif 000024
【図２４】
0005655658.tif 000025
【図２５】
0005655658.tif 000026
【図２６】
0005655658.tif 000027
【図２７】
0005655658.tif 000028
【図２８】
0005655658.tif 000029
【図２９】
0005655658.tif 000030
【図３０】
0005655658.tif 000031
【図３１】
0005655658.tif 000032